【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
酸化剤と燃料とを燃焼させて排気ガスを発生させるように構成されたガスタービンエンジンと、
前記ガスタービンエンジンからの前記排気ガスの少なくとも一部分を処理して処理排気ガスを発生させるように構成された触媒床と、
前記触媒床の上流側の排気ガスの前記部分の第１の温度と該触媒床の下流側の前記処理排気ガスの第２の温度との間の第１の温度差を監視するように構成された第１の温度差モニタと、
目標当量比を維持するために少なくとも部分的に前記第１の温度差に基づいて、前記酸化剤の酸化剤流量と前記燃料の燃料流量とを調節して前記触媒床の効率を維持するように構成された酸化剤対燃料比システムと、
前記触媒床の上流側に触媒床酸化剤を注入するように構成された酸化剤注入システム、又は該触媒床の上流側に酸化燃料を注入するように構成された酸化剤燃料注入システム、又はそのいずれかの組合せと、
排気ガスの前記部分の前記第１の温度と前記触媒床酸化剤、酸化燃料、又はそのいずれかの組合せの注入ポイントの下流側の前記処理排気ガスの局所出口温度との間の局所温度差を監視するように構成された局所温度差モニタと、を含み、
前記酸化剤対燃料比システムは、少なくとも部分的に前記局所温度差の前記第１の温度差との比較に基づいて、前記酸化剤流量、又は前記燃料流量、又はそのいずれかの組合せのうちの少なくとも１つを調節するように構成されている、ことを特徴とするシステム。
【請求項２】
前記第１の温度は、前記触媒床の入口で測定され、前記第２の温度は、該触媒床の出口で測定されることを特徴とする請求項１に記載のシステム。
【請求項３】
複数の触媒床を含み、
前記第１の温度は、前記複数の触媒床のうちの１つの入口で測定され、前記第２の温度は、該複数の触媒床のうちの１つの出口で測定される、
ことを特徴とする請求項１に記載のシステム。
【請求項４】
前記酸化剤対燃料比システムは、前記第１の温度差を約摂氏ゼロ度と摂氏４００度の間に維持するように構成されることを特徴とする請求項１に記載のシステム。
【請求項５】
前記酸化剤対燃料比システムは、前記目標当量比を約０．９５と１．０５の間に維持するように構成されることを特徴とする請求項１に記載のシステム。
【請求項６】
前記触媒床を有する熱回収蒸気発生器（ＨＲＳＧ）を含み、
前記ＨＲＳＧは、前記排気ガスの前記部分又は前記処理排気ガスを用いて蒸気を発生させるように構成される、
ことを特徴とする請求項１に記載のシステム。
【請求項７】
前記触媒床を有する生成物調整器を含み、
前記生成物調整器は、排気ガスの前記部分を処理するように構成される、
ことを特徴とする請求項１に記載のシステム。
【請求項８】
前記生成物調整器は、複数の触媒床を含むことを特徴とする請求項７に記載のシステム。
【請求項９】
前記複数の触媒床は、第２の触媒床の上流側に配置された第１の触媒床を含み、
システムが、前記第１の触媒床の下流側に触媒床酸化剤を注入するように構成された酸化剤注入システムを含み、
前記第１の触媒床は、排気ガスの前記部分内のＮＯXの濃度を低下させるように構成されたＮＯX触媒を含む、
ことを特徴とする請求項８に記載のシステム。
【請求項１０】
前記触媒床の下流側に配置されたガス組成センサを含み、
前記ガス組成センサは、酸素、一酸化炭素、水素、窒素酸化物、又は未燃炭化水素、又はそのいずれかの組合せのうちの少なくとも１つのガス濃度を感知するように構成され、
前記酸化剤注入システムは、少なくとも部分的に前記ガス濃度に基づいて、前記触媒床酸化剤の触媒床酸化剤流量、又は前記酸化燃料の触媒床燃料流量、又はそのいずれかの組合せを調節するように構成される、
ことを特徴とする請求項１に記載のシステム。
【請求項１１】
前記ガスタービンエンジンに前記酸化剤をかつ前記触媒床の上流側に前記触媒床酸化剤を提供するように構成された酸化剤圧縮機を含むことを特徴とする請求項１に記載のシステム。
【請求項１２】
前記排気ガスの酸化剤対燃料比を感知するように構成された酸化剤対燃料センサを含み、
前記酸化剤対燃料比システムは、少なくとも部分的に前記酸化剤対燃料比に基づいて、前記酸化剤の前記酸化剤流量、又は前記燃料の前記燃料流量、又はそのいずれかの組合せのうちの少なくとも１つを調節するように構成される、
ことを特徴とする請求項１に記載のシステム。
【請求項１３】
前記ガスタービンエンジンは、量論的排気ガス再循環（ＳＥＧＲ）ガスタービンエンジンであることを特徴とする請求項１に記載のシステム。
【請求項１４】
前記ガスタービンエンジンに結合された排気ガス抽出システムと、該排気ガス抽出システムに結合された炭化水素生成システムとを含むことを特徴とする請求項１３に記載のシステム。
【請求項１５】
ガスタービンエンジン内で酸化剤及び燃料を燃焼させて排気ガスを発生させる段階と、
触媒床内で前記ガスタービンエンジンからの前記排気ガスの一部分を処理して処理排気ガスを発生させる段階と、
第１の温度差モニタを用いて前記触媒床の上流側の前記排気ガスの前記部分の第１の温度と該触媒床の下流側の前記処理排気ガスの第２の温度との間の第１の温度差を監視する段階と、
酸化剤対燃料比システムを用いて目標当量比を維持するために少なくとも部分的に前記第１の温度差に基づいてパラメータを調節して前記触媒床の効率を維持する段階と、
酸化剤注入システムを用いて前記触媒床の上流側に触媒床酸化剤を注入する段階、又は酸化剤燃料注入システムを用いて該触媒床の上流側に酸化燃料を注入する段階、又はそのいずれかの組合せと、
局所温度差モニタを用いて、前記排気ガスの前記入口温度と前記触媒床酸化剤、酸化燃料、又はそのいずれかの組合せの注入ポイントの下流側の前記処理排気ガスの局所出口温度との間の局所温度差を監視する段階と、
少なくとも部分的に前記局所温度差の前記第１の温度差との比較に基づいて、前記酸化剤の前記酸化剤流量、又は前記燃料の前記燃料流量、又はそのいずれかの組合せのうちの少なくとも１つを調節する段階と、
を含むことを特徴とする方法。
【請求項１６】
前記パラメータは、前記酸化剤の前記酸化剤流量、前記燃料の前記燃料流量、排気ガスの前記部分の排気ガス流量、前記ガスタービンエンジンに再循環された排気ガスの再循環流量、前記触媒床の温度、該触媒床の圧力、又は該触媒床への希釈剤の希釈剤流量、又はそのいずれかの組合せのうちの少なくとも１つを含むことを特徴とする請求項１５に記載の方法。
【請求項１７】
酸化剤圧縮機を用いて前記酸化剤流量を調節する段階、該酸化剤圧縮機の速度を調節することによって該酸化剤流量を調節する段階、該酸化剤圧縮機の入口ガイドベーンを用いて該酸化剤流量を調節する段階、該酸化剤圧縮機の入口制御バルブを用いて該酸化剤流量を調節する段階、該酸化剤圧縮機の出口制御バルブを用いて該酸化剤流量を調節する段階、該酸化剤圧縮機からの酸化剤の再循環を調節する段階、又は該酸化剤圧縮機からの酸化剤の噴出を調節する段階、又はそのいずれかの組合せのうちの少なくとも１つを含むことを特徴とする請求項１６に記載の方法。
【請求項１８】
１又は２以上のセットの命令を集合的に格納する１又は２以上の有形非一時的機械可読媒体と、
ガスタービンエンジン内で酸化剤及び燃料を燃焼させて排気ガスを発生させ、
触媒床内で前記ガスタービンエンジンからの前記排気ガスの一部分を処理して処理排気ガスを発生させ、
第１の温度差モニタを用いて前記触媒床の上流側の前記排気ガスの入口温度と該触媒床の下流側の前記処理排気ガスの出口温度との間の第１の温度差を監視し、
温度差信号を前記温度差モニタから制御システムに送信し、
目標当量比を維持するために少なくとも部分的に前記温度差に基づいてパラメータを調節して前記触媒床の効率を維持し、
排気ガスの前記部分の前記第１の温度と、前記触媒床の上流側に触媒床酸化剤、又は酸化燃料、又はそのいずれかの組合せを注入するように構成された注入ポイントの下流側の前記処理排気ガスの局所出口温度との間の局所温度差を監視し、かつ
少なくとも部分的に前記局所温度差の前記第１の温度差との比較に基づいて、前記酸化剤流量、又は前記燃料流量、又はそのいずれかの組合せのうちの少なくとも１つを調節する、
ための前記１又は２以上のセットの命令を実行するよう
ための前記１又は２以上のセットの命令を実行するように構成された１又は２以上の処理デバイスと、
を含む、
コントローラ、
を含むことを特徴とするシステム。
【請求項１９】
前記１又は２以上の処理デバイスは、前記局所温度差が前記温度差よりも大きい時に、前記酸化剤流量を増加させ、前記燃料流量を減少させ、又はそのいずれかの組合せであり、該温度差が該局所温度差よりも大きい時に、該酸化剤流量を減少させ、該燃料流量を増加させ、又はそのいずれかの組合せである前記１又は２以上のセットの命令を実行するように構成されることを特徴とする請求項１８に記載のシステム。